(57)【要約】【課題】回路規模を小さくしつつ、使用に必要な充電量を確保できたかを確認できる電子時計を提供すること。【解決手段】電子時計１は、供給される電気エネルギーを蓄積する蓄電手段３７と、充電が完了したことを表示するモード表示針およびモード表示用ステップモーター２２と、第１ボタン６と、第１ボタン６に対する操作に応じて、目標充電量を設定する充電量設定部５３０と、充電結果を表示する充電完了表示機能が実行された場合に動作し、供給される電気エネルギーの供給量の積算値を算出する積算値算出部５３２と、前記積算値が、目標充電量以上であるかを判定する充電量判定部５３３と、充電量判定部５３３で、前記積算値が目標充電量以上であると判定された場合、充電が完了したことをモード表示針およびモード表示用ステップモーター２２に表示させる充電結果表示制御部５３４と、を備える。【選択図】図２
2015158449.tif 000002
【特許請求の範囲】
【請求項１】
供給される電気エネルギーを蓄積する蓄電手段と、
充電が完了したことを表示する充電結果表示手段と、
操作手段と、
前記操作手段に対する操作に応じて、目標充電量を設定する充電量設定部と、
充電結果を表示する充電完了表示機能が実行された場合に動作し、前記供給される電気エネルギーの供給量の積算値を算出する積算値算出部と、
前記積算値が、前記目標充電量以上であるかを判定する充電量判定部と、
前記充電量判定部で、前記積算値が前記目標充電量以上であると判定された場合、充電が完了したことを前記充電結果表示手段に表示させる充電結果表示制御部と、を備える
ことを特徴とする電子時計。
【請求項２】
請求項１に記載の電子時計において、
前記積算値算出部は、前記充電量判定部で前記積算値が前記目標充電量以上であると判定された場合を除き、前記充電完了表示機能が実行されてから所定時間経過すると、前記積算値の算出を終了する
ことを特徴とする電子時計。
【請求項３】
請求項２に記載の電子時計において、
前記所定時間は、少なくとも２４時間である
ことを特徴とする電子時計。
【請求項４】
請求項１から請求項３のいずれかに記載の電子時計において、
充電量を表示する指針と、
前記指針を駆動する駆動手段と、
前記駆動手段を制御して、前記目標充電量を、前記指針により表示させる充電量表示制御部と、を備える
ことを特徴とする電子時計。
【請求項５】
請求項１から請求項４のいずれかに記載の電子時計において、
前記積算値算出部は、前記供給される電気エネルギーの供給量をサンプリングして前記積算値を算出する
ことを特徴とする電子時計。
【請求項６】
請求項１から請求項５のいずれかに記載の電子時計において、
前記目標充電量の設定単位は、時計を半日駆動できる充電量である
ことを特徴とする電子時計。
【請求項７】
請求項１から請求項６のいずれかに記載の電子時計において、
電気エネルギーの供給源として、太陽電池を備え、
前記蓄電手段は、前記太陽電池が発電した電気エネルギーを蓄積し、
前記積算値算出部は、前記太陽電池の発電量の積算値を算出する
ことを特徴とする電子時計。
【発明の詳細な説明】
【技術分野】
【０００１】
本発明は、充電機能を有する電子時計に関する。
【背景技術】
【０００２】
従来、充電機能付きの時計は、発電手段で発電された電気エネルギーを蓄積する蓄電手段を備える。このような充電機能付きの時計には、発電手段による発電量を継続的に検出することで、時計を駆動できる時間を計算し、表示するものがある（例えば、特許文献１参照）。
特許文献１の電子時計は、時計の所定時間分の消費電流に相当する発電量が発電手段で発電される毎に、カウンターをカウントアップし、また、時計の運針が継続している場合に、所定時間経過する毎に、前記カウンターをカウントダウンする。そして、前記カウンターのカウント値に基づいて時計を駆動できる時間を示す持続時間を表示する。
【先行技術文献】
【特許文献】
【０００３】
【特許文献１】特開２００８−２２４５４５号公報
【発明の概要】
【発明が解決しようとする課題】
【０００４】
ところで、使用者が時計の充電量を知りたい場合として、例えば、長期間放置していた時計を使用する場合が挙げられる。このような場合、充電量が低いことが予想されるため、時計を充電する必要があるが、フル充電しなくても、例えば、時計を使用する期間（例えば、１日）、時計を駆動できる充電量が確保できればよい。このため、使用に必要な充電量が確保できたかを確認できることが求められている。
特許文献１の電子時計では、上記持続時間が表示されるため、例えば、時計を１日駆動できる充電量が確保できたことを確認することはできる。
しかしながら、特許文献１の電子時計は、上記持続時間を求めるため、発電手段の発電量だけではなく経過時間も計測し、計測した経過時間に応じてカウンターをカウントダウンする必要があり、そのための回路が必要である。このため、時計の回路規模が大きくなってしまう可能性があった。この場合、時計を小型化できず、また、消費電力が増大してしまう。
【０００５】
本発明の目的は、回路規模を小さくしつつ、使用に必要な充電量を確保できたかを確認できる電子時計を提供することにある。
【課題を解決するための手段】
【０００６】
本発明の電子時計は、供給される電気エネルギーを蓄積する蓄電手段と、充電が完了したことを表示する充電結果表示手段と、操作手段と、前記操作手段に対する操作に応じて、目標充電量を設定する充電量設定部と、充電結果を表示する充電完了表示機能が実行された場合に動作し、前記供給される電気エネルギーの供給量の積算値を算出する積算値算出部と、前記積算値が、前記目標充電量以上であるかを判定する充電量判定部と、前記充電量判定部で、前記積算値が前記目標充電量以上であると判定された場合、充電が完了したことを前記充電結果表示手段に表示させる充電結果表示制御部と、を備えることを特徴とする。
【０００７】
ここで、電子時計は、例えば、電気エネルギーの供給減として、太陽電池等の発電手段を備えている。この場合、蓄電手段は、発電手段が発電した電気エネルギーを蓄積し、積算値算出部は、発電手段の発電量の積算値を算出する。
本発明では、充電完了表示機能が実行されると、使用者による操作手段の操作に応じて、充電量設定部は、例えば、時計を１日駆動できる充電量等を、目標充電量として設定する。なお、時計を駆動できる充電量とは、例えば、時刻表示処理を実行できる充電量である。すなわち、時計がクロノグラフ機能等を備えた多機能時計である場合では、クロノグラフ処理等、時刻を表示するための処理とは別の処理を実行するための充電量は含まれない。
そして、積算値算出部は、供給される電気エネルギーの供給量の積算値を算出する。そして、充電量判定部で前記積算値が目標充電量以上であると判定された場合、充電結果表示制御部は、充電が完了したことを充電結果表示手段に表示させる。
本発明によれば、前記積算値が目標充電量以上になると、充電結果表示手段に充電が完了したことが表示される。このため、使用者は、操作手段を操作して目標充電量を使用に必要な充電量に設定することで、充電結果表示手段の表示により、使用に必要な充電量が確保できたことを確認できる。これにより、使用者は、必要以上に長い時間、充電を行うことを回避できる。このため、時計を早期に使用できる。
また、本発明によれば、例えば、前記供給量に応じてカウンターをカウントアップし、また、経過時間に応じて前記カウンターをカウントダウンすることで、時計を駆動できる時間を示す持続時間を算出する場合と比べて、経過時間を計測し、計測した経過時間に応じてカウンターをカウントダウンするための回路が必要ない。このため、時計の回路規模を小さくできる。これにより、時計を小型化でき、時計の消費電力を低減できる。
また、本発明によれば、前記積算値を算出するのは、充電完了表示機能が実行されてから、前記積算値が目標充電量以上となるまでの期間でよい。すなわち、前記供給量を検出するのは、当該期間でよい。このため、例えば、前記供給量の検出が常時行われる場合と比べて、時計の消費電力を低減できる。
【０００８】
本発明の電子時計において、前記積算値算出部は、前記充電量判定部で前記積算値が前記目標充電量以上であると判定された場合を除き、前記充電完了表示機能が実行されてから所定時間経過すると、前記積算値の算出を終了することが好ましい。
【０００９】
例えば、電気エネルギーが供給されていない状態で、積算値算出部による前記積算値の算出が継続されていると、当該算出にかかる電力の消費により、時計の充電量が低下してしまう可能性がある。
これに対して、本発明によれば、積算値算出部は、充電量判定部で前記積算値が目標充電量以上であると判定された場合を除き、充電完了表示機能が実行されてから所定時間経過すると、前記積算値の算出を終了するため、時計の充電量が低下することを抑制できる。
また、本発明では、長期間のエネルギー消費に伴う充電量の低下については考慮されていないため、電気エネルギーが供給されていない状態が長時間続くと、前記積算値と実際の充電量との差が大きくなる場合がある。前記積算値と実際の充電量との差が大きいと、前記積算値が目標充電量以上となり充電結果表示手段に充電が完了したことが表示されても、実際の充電量は、目標充電量を大きく下回る。このため、使用者が、使用に必要な充電量が確保されていると誤って認識してしまう可能性がある。
これに対して、本発明では、充電完了表示機能が実行されてから所定時間経過すると、前記積算値の算出を終了する。所定時間を適宜設定することで、充電完了表示機能の実行中に、電気エネルギーが供給されていない状態が長時間続き、前記積算値と実際の充電量との差が大きくなることを防止できる。これにより、使用者が、使用に必要な充電量が確保できていないにも関わらず、当該充電量が確保できていると誤って認識する事態を回避できる。
【００１０】
本発明の電子時計において、前記所定時間は、少なくとも２４時間であることが好ましい。
例えば、所定時間は、目標充電量に応じて設定されるが、最も低い目標充電量の所定時間が、少なくとも２４時間に設定される。
本発明によれば、充電量判定部で前記積算値が前記目標充電量以上であると判定された場合を除き、充電完了表示機能がどの時間に実行されたとしても、積算値算出部は、日中の間必ず動作することになる。
ここで、例えば、電子時計が、電気エネルギーの供給源として太陽電池を備えている場合、時計に太陽光が数時間照射されれば、少なくとも１日時計を駆動できる充電量は確保できる。
このため、目標充電量が時計を１日駆動できる充電量に設定されている場合、太陽光が照射される場所に時計が配置されていれば、積算値算出部が日中の間動作することで、前記所定時間内に前記積算値が目標充電量以上となる可能性が高い。
これによれば、目標充電量が、設定頻度が高い、１日時計を駆動できる充電量に設定されている場合に、高い確率で充電結果表示手段に充電が完了したことが表示されるため、使い易さを向上できる。
また、電気エネルギーの供給源が、例えば、回転錘を用いた自動巻き発電装置である電子時計の場合は、毎日時計を使用する習慣があれば、１日のうちのどこかで充電が行われる。また、電気エネルギーの供給源が、例えば、クレードル等の外部装置である電子時計の場合も、毎日時計を外部装置にセットする習慣があれば、１日のうちのどこかで充電が行われる。
このため、積算値算出部が少なくとも２４時間（１日）動作することで、充電により前記積算値が目標充電量以上となる可能性は高くなる。これにより、高い確率で充電結果表示手段に充電が完了したことが表示されるため、使い易さを向上できる。
【００１１】
本発明の電子時計において、充電量を表示する指針と、前記指針を駆動する駆動手段と、前記駆動手段を制御して、前記目標充電量を、前記指針により表示させる充電量表示制御部と、を備えることが好ましい。
【００１２】
本発明によれば、指針により目標充電量が表示されるため、使用者は、目標充電量を確認でき、目標充電量を誤って設定することを回避できる。
また、本発明によれば、例えば、クロノグラフ用の指針や時刻表示用の秒針等を用いて、目標充電量を表示できるため、目標充電量を表示する表示手段を新たに設ける必要がなく、本発明の時計を大型化せずに実現できる。
【００１３】
本発明の電子時計において、前記積算値算出部は、前記供給される電気エネルギーの供給量をサンプリングして前記積算値を算出することが好ましい。
本発明によれば、例えば、前記供給量を連続的に検出して前記積算値を算出する場合と比べて、検出時間を短くできるため、前記供給量の検出にかかる消費電力を低減できる。
【００１４】
本発明の電子時計において、前記目標充電量の設定単位は、時計を半日駆動できる充電量であることが好ましい。
一般的に、使用者が時計を使用する期間は、半日単位、すなわち、半日、１日、１．５日、２日…等になることが多い。
本発明によれば、目標充電量を、半日単位で設定できるので、半日、１日、１．５日、２日…等に設定し易い。このため、使い易さを向上できる。
【００１５】
本発明の電子時計において、電気エネルギーの供給源として太陽電池を備え、前記蓄電手段は、前記太陽電池が発電した電気エネルギーを蓄積し、前記積算値算出部は、前記太陽電池の発電量の積算値を算出することが好ましい。
【００１６】
太陽電池は、例えば、回転錘を用いた自動巻き発電やリューズを用いた手巻き発電を行う発電装置と比べて、発電量の変動が緩やかである。
このため、発電量の積算値の算出を、例えば、発電量をサンプリングして行う場合、サンプリング間隔を、前記発電装置の場合と比べて長くできる。
このため、本発明によれば、発電量の検出にかかる消費電力を低減できる。
【図面の簡単な説明】
【００１７】
【図１】第１実施形態に係る電子時計を示す正面図である。
【図２】前記電子時計の構成を示すブロック図である。
【図３】前記実施形態に係る充電完了表示機能を示すフローチャートである。
【図４】前記実施形態に係る充電完了表示機能を示すフローチャートである。
【図５】前記電子時計の動作を説明する図である。
【図６】前記電子時計の動作を説明する図である。
【図７】前記電子時計の動作を説明する図である。
【図８】前記電子時計の動作を説明する図である。
【図９】前記電子時計の動作を説明する図である。
【図１０】第２実施形態に係る電子時計を示す正面図である。
【図１１】前記電子時計の構成を示すブロック図である。
【図１２】前記実施形態に係る充電完了表示機能を示すフローチャートである。
【図１３】前記実施形態に係る充電完了表示機能を示すフローチャートである。
【図１４】前記電子時計の動作を説明する図である。
【図１５】前記電子時計の動作を説明する図である。
【図１６】前記電子時計の動作を説明する図である。
【図１７】前記電子時計の動作を説明する図である。
【発明を実施するための形態】
【００１８】
以下に、本発明の実施形態を図面に基づいて説明する。
［第１実施形態］
図１は、電子時計１を示す正面図である。
図１に示すように、電子時計１は、通常の時刻表示を行う基本時計用指針としての時針１１、分針１２、小秒針１３を備えている。時針１１および分針１２は、電子時計１の文字板２の中心を回転軸としているが、小秒針１３は、文字板２の中心から９時方向にずれた位置に配置されている。
【００１９】
また、電子時計１には、文字板２の中心から１２時方向にずれた位置に配置されたモード表示針１４を備えている。そして、文字板２におけるモード表示針１４の回転領域の周囲には、充電完了表示モードを示す「ＣＨＡ」の文字と、クロノグラフモードを示す「ＣＨＲ」の文字と、ローカルタイムモードを示す「ＬＯＣ」の文字が表示されている。そして、「ＣＨＡ」の両側には、充電の完了を示す「ＯＫ」の文字と、充電の失敗を示す「ＮＧ」の文字が表示されている。
【００２０】
また、電子時計１は、文字板２の中心から６時方向にずれた位置に配置された第１副針１５および第２副針１６を備えている。
また、電子時計１は、時針１１、分針１２と同軸上に配置された第３副針１７を備えて構成されている。
また、電子時計１には、外部操作部材であるリューズ５と、同じく外部操作部材である第１ボタン６および第２ボタン７とが設けられている。ここで、第１ボタン６は、本発明の操作手段を構成する。
【００２１】
図２は、電子時計１の構成を示すブロック図である。
図２に示すように、電子時計１は、さらに、各指針１１〜１７を駆動する基本時計用ステップモーター２１、モード表示用ステップモーター２２、第１ステップモーター２３、第２ステップモーター２４を備えている。
時針１１、分針１２、小秒針１３は基本時計用ステップモーター２１で駆動され、モード表示針１４はモード表示用ステップモーター２２で駆動される。また、第１副針１５および第２副針１６は第１ステップモーター２３で駆動され、第３副針１７は第２ステップモーター２４で駆動される。
ここで、モード表示針１４およびモード表示用ステップモーター２２は、本発明の充電結果表示手段を構成する。また、第３副針１７は、本発明の充電量を表示する指針を構成し、第２ステップモーター２４は、本発明の指針を駆動する駆動手段を構成する。
【００２２】
さらに、電子時計１は、各ステップモーター２１〜２４の駆動を制御する、基本時計駆動制御回路３１、モード表示駆動制御回路３２、第１モーター駆動制御回路３３、第２モーター駆動制御回路３４と、各駆動制御回路３１〜３４を制御する制御手段５０とを備えている。
さらに、電子時計１は、発電手段３５、電流検出回路３６、蓄電手段３７、発振回路３８、分周回路３９、第１ボタン６および第２ボタン７に接続された入力回路４０を備えている。
【００２３】
発電手段３５は、太陽電池により構成されている。発電手段３５は、太陽光等の光エネルギーを電気エネルギーに変換して発電し、発電電流を発生させる。ここで、発電手段３５は、本発明の電気エネルギーの供給源に相当し、発電電流は、本発明の電気エネルギーの供給量、および、発電手段の発電量に相当する。
電流検出回路３６は、発電手段３５の発電電流を検出する。
蓄電手段３７は、例えば、リチウムイオン電池等の二次電池により構成されている。蓄電手段３７は、発電手段３５が発電した電気エネルギーを蓄積する。すなわち、発電手段３５が発電した電気エネルギーは、電流検出回路３６を経由して蓄電手段３７に充電される。
【００２４】
入力回路４０は、第１ボタン６および第２ボタン７の押込操作を検出し、押込操作があった場合に、その検出信号を制御手段５０に出力する。
発振回路３８は、水晶振動子等を備え、３２．７６８ｋＨｚの基準クロック信号を出力する。
分周回路３９は、発振回路３８から出力された基準クロック信号を分周して制御手段５０に出力する。
【００２５】
基本時計駆動制御回路３１は、モーター駆動パルスを出力し、基本時計用ステップモーター２１を介して時針１１、分針１２、小秒針１３の駆動を制御する。
モード表示駆動制御回路３２は、モード表示用ステップモーター２２を介してモード表示針１４の駆動を制御する。
第１モーター駆動制御回路３３は、第１ステップモーター２３を介して第１副針１５および第２副針１６の駆動を制御する。
第２モーター駆動制御回路３４は、第２ステップモーター２４を介して第３副針１７の駆動を制御する。
【００２６】
制御手段５０は、ロジックＩＣで構成されている。なお、制御手段５０は、ＣＰＵ（Central Processing Unit）、ＲＯＭ（Read Only Memory）、ＲＡＭ（Random Access Memory）等で構成されていてもよい。この場合、例えば、ＲＯＭやＲＡＭに格納されたプログラムをＣＰＵが実行することで、制御手段５０の各機能が実現される。
制御手段５０は、クロノグラフ処理部５１、ローカルタイム表示処理部５２、充電完了表示処理部５３を備えている。
そして、制御手段５０は、第２ボタン７によるモード切替操作が行われると、処理モードを順次切り替え、選択されたモードに伴って各処理部５１〜５３を実行する。
なお、このモード切替操作に伴い、制御手段５０は、モード表示駆動制御回路３２を動作させてモード表示用ステップモーター２２を介してモード表示針１４を移動させ、選択されたモードに応じて、文字板２に表示されたクロノグラフモード（ＣＨＲ)、ローカルタイムモード（ＬＯＣ)、充電完了表示モード（ＣＨＡ）のいずれかをモード表示針１４で指示する。
【００２７】
クロノグラフ処理部５１は、クロノグラフモード（ＣＨＲ)が選択された際に動作され、第１モーター駆動制御回路３３、第２モーター駆動制御回路３４を利用し、第１副針１５、第２副針１６、第３副針１７によってクロノグラフ処理を行うものである。なお、クロノグラフ処理とは、いわゆるストップウォッチ機能であり、クロノグラフのスタート操作を行うと、経過時間に伴い各副針１５〜１７を時計回りに回転して、経過時間をリアルタイムに表示するものである。
【００２８】
ローカルタイム表示処理部５２は、ローカルタイムモード（ＬＯＣ)が選択された際に動作され、第１モーター駆動制御回路３３を利用し、第１副針１５、第２副針１６によって、時針１１、分針１２で表示される現時刻に対し、予め設定された時差分だけ異なる時間を表示するものである。例えば、日本から外国に旅行などで移動している際に、時針１１および分針１２で、現地あるいは日本の現時刻を表示し、第１副針１５および第２副針１６で日本あるいは現地の時刻を表示するものである。
【００２９】
充電完了表示処理部５３は、充電完了表示モード（ＣＨＡ）が選択された際に動作され、発電手段３５の発電電流に基づいて充電量を判定する。そして、判定結果を、モード表示駆動制御回路３２を利用し、モード表示針１４によって表示するものである。
具体的に、充電完了表示処理部５３は、充電量設定部５３０、充電量表示制御部５３１、積算値算出部５３２、充電量判定部５３３、充電結果表示制御部５３４を備えている。
【００３０】
充電量設定部５３０は、入力回路４０から出力される検出信号を判定して、第１ボタン６の押込操作を判断し、第１ボタン６の押込操作回数に応じて、目標充電量および充電完了表示モードの継続時間を示すモード継続時間を設定する。ここで、モード継続時間は、本発明の所定時間に相当する。
充電量表示制御部５３１は、充電量設定部５３０で設定された目標充電量を、第３副針１７により表示させる。
【００３１】
積算値算出部５３２は、電流検出回路３６を利用して、発電手段３５の発電電流を検出し、検出した発電電流を積算した積算値を算出する。
充電量判定部５３３は、積算値算出部５３２が算出した積算値が、充電量設定部５３０で設定された目標充電量以上かを判定する。
充電結果表示制御部５３４は、充電量判定部５３３で、積算値算出部５３２が算出した積算値が、充電量設定部５３０で設定された目標充電量以上であると判定された場合、充電が完了したことを、モード表示針１４により表示させる。
【００３２】
［充電完了表示機能］
次に、電子時計１の充電完了表示機能について、図３および図４のフローチャートに基づいて説明する。
第２ボタン７が押されて、充電完了表示モードが選択されると、充電完了表示処理部５３は、充電完了表示機能を実行する。このとき、図５に示すように、モード表示針１４は移動して「ＣＨＡ」を指示する。なお、第３副針１７は、１２時の位置を指示している。
【００３３】
図３に示すように、充電完了表示処理部５３は、まず、目標充電量設定処理Ｓ１を実行する。
ここで、使用者は、第１ボタン６を押して、目標充電量を設定する。具体的には、第１ボタン６の押込操作回数に応じて、目標充電量を設定する。目標充電量と第１ボタン６の押込操作回数との関係を表１に示す。なお、表１には、目標充電量と、第３副針１７の指示位置およびモード継続時間との関係も示されている。
【００３４】
【表１】
2015158449.tif 000003
【００３５】
表１に示すように、目標充電量として、電子時計１を１日駆動できる充電量と、電子時計１を２日駆動できる充電量と、電子時計１を３日駆動できる充電量とが設定されている。ここで、電子時計１を駆動できる充電量とは、時刻表示処理を実行できる充電量であり、クロノグラフ処理、充電完了表示機能を実行するための充電量は含まれない。
表１に示すように、例えば、目標充電量が１日（２４時間）分の充電量である場合、第１ボタン６の押込操作回数は１回である。
使用者は、表１にしたがって、目標充電量に応じた回数、第１ボタン６を押す。
なお、ここでは、目標充電量として３つの充電量が設定されているが、１つ、２つ、または、４つ以上の充電量が設定されていてもよい。
【００３６】
目標充電量設定処理Ｓ１では、図４に示すように、まず、充電量設定部５３０は、入力回路４０から出力された検出信号を判定し、第１ボタン６が押されたかを判定する（Ｓ２１）。
【００３７】
Ｓ２１でＹＥＳと判定された場合、充電量設定部５３０は、第１ボタン６の押込操作回数を１回加算する（Ｓ２２）。これに伴い、充電量表示制御部５３１は、図６に示すように、第３副針１７を、１周を１２分割した角度（３０度）、右回転させて移動させる（Ｓ２３）。なお、図６は、第１ボタン６が１回押された状態を示しており、第３副針１７は、１２時位置から１時位置に移動している。
【００３８】
Ｓ２３の処理が行われた後、または、Ｓ２１でＮＯと判定された場合、充電量設定部５３０は、目標充電量設定処理Ｓ１が開始されてから、目標充電量設定処理Ｓ１の待機時間５秒を経過したかを判定する（Ｓ２４）。なお、待機時間は５秒に限らない。
Ｓ２４でＮＯと判定された場合、充電量設定部５３０は、処理をＳ２１に戻す。
そして、充電量設定部５３０および充電量表示制御部５３１は、目標充電量設定処理Ｓ１が開始されてから５秒経過するまで、Ｓ２１〜Ｓ２４の処理を繰り返す。
これにより、充電量設定部５３０は、第１ボタン６が押された回数をカウントし、充電量表示制御部５３１は、第１ボタン６が押された回数に応じた位置に、第３副針１７を移動させる。第１ボタン６の押込操作回数と、第３副針１７の指示位置との関係を、表１に示す。
例えば、第１ボタン６の押込操作回数が１回である場合、すなわち、目標充電量が１日分の充電量である場合、第３副針１７は１時の位置を指示する。
なお、第１ボタン６が４回押された場合には、例えば、第３副針１７は、１２時の位置に戻されるとともに、第１ボタン６の押込操作回数は、０回に戻される。
【００３９】
Ｓ２４でＹＥＳと判定された場合、充電量設定部５３０は、第１ボタン６の押込操作回数は、１回以上かを判定する（Ｓ２５）。
Ｓ２４でＮＯと判定された場合、すなわち、第１ボタン６の押込操作回数が０回である場合、充電量設定部５３０は、充電完了表示機能を終了する。
【００４０】
Ｓ２５でＹＥＳと判定された場合、充電量設定部５３０は、表１にしたがって、第１ボタン６の押込操作回数に対応した充電量を目標充電量に設定する（Ｓ２６）。
さらに、充電量設定部５３０は、当該回数に応じてモード継続時間を設定する（Ｓ２７）。第１ボタン６の押込操作回数と、モード継続時間との関係を、表１に示す。
表１に示されるように、モード継続時間は、少なくとも２４時間に設定されている。また、モード継続時間は、目標充電量で時計が駆動できる時間と同じ時間に設定されている。
例えば、第１ボタン６の押込操作回数が１回である場合、すなわち、目標充電量が１日分の充電量である場合、モード継続時間は２４時間に設定される。
そして、充電量設定部５３０は、目標充電量設定処理Ｓ１を終了する。
このとき、充電量表示制御部５３１は、図７に示すように、第３副針１７を１２時の位置に戻す。
【００４１】
次に、図３に示すように、積算値算出部５３２は、電流検出回路３６を利用して発電手段３５の発電電流の有無を検出し、発電手段３５が発電しているかを判定する（Ｓ２）。
Ｓ２でＮＯと判定された場合、積算値算出部５３２は、第２ボタン７が押されて充電完了表示機能が実行されてからの時間が、Ｓ１で設定したモード継続時間経過したかを判定する（Ｓ３）。
Ｓ３でＮＯと判定された場合、積算値算出部５３２は、処理をＳ２に戻す。
【００４２】
一方、Ｓ２でＹＥＳと判定された場合、積算値算出部５３２は、電流検出回路３６を利用して発電手段３５の発電電流を検出する（Ｓ４）。なお、Ｓ４の発電電流の検出は、一定時間間隔（例えば、１分間隔）で行われる。すなわち、積算値算出部５３２は、発電手段３５の発電電流を上記一定時間間隔でサンプリングする。
【００４３】
次に、積算値算出部５３２は、Ｓ４で検出した発電電流を積算した積算値を算出する（Ｓ５）。具体的に、積算値算出部５３２は、Ｓ４で発電電流が検出される毎に、Ｓ４で検出した発電電流に上記一定時間をかけて一定時間分の積算発電量を算出する。そして、算出した一定時間分の積算発電量を、前回までに算出した一定時間分の積算発電量の総和に加算することで、前記積算値を算出する。
【００４４】
次に、充電量判定部５３３は、Ｓ５で算出された積算値が、Ｓ１で設定された目標充電量以上かを判定する（Ｓ６）。
Ｓ６でＹＥＳと判定された場合、充電結果表示制御部５３４は、図８に示すようにモード表示針１４を、「ＯＫ」の位置に移動させる（Ｓ７）。なお、このとき、モード表示針１４を、「ＣＨＡ」とは異なる位置、例えば、「ＣＨＡ」と「ＣＨＲ」との間に移動させてもよい。これにより、使用者は、充電が完了したことを知ることができる。その後、充電結果表示制御部５３４は、充電完了表示機能を終了する。
【００４５】
一方Ｓ６でＮＯと判定された場合、充電量判定部５３３は、充電完了表示機能が実行されてからの時間が、Ｓ１で設定したモード継続時間経過したかを判定する（Ｓ８）。
Ｓ８でＮＯと判定された場合、充電量判定部５３３は、処理をＳ４に戻す。すなわち、Ｓ６でＹＥＳと判定される場合を除いて、モード継続時間が経過するまで、Ｓ４およびＳ５の処理が繰り返される。
一方、Ｓ８でＹＥＳと判定された場合、または、Ｓ３でＹＥＳと判定された場合、充電結果表示制御部５３４は、図９に示すように、モード表示針１４を、「ＮＧ」の位置に移動させる（Ｓ９）。これにより、使用者は、充電に失敗したことを知ることができる。その後、充電結果表示制御部５３４は、充電完了表示機能を終了する。
【００４６】
［第１実施形態の作用効果］
目標充電量を設定し、発電手段３５の発電電流の積算値が目標充電量以上であると判定された場合、充電が完了したことを表示させるため、使用者は、使用に必要な充電量が確保できたことを確認できる。これにより、使用者は、必要以上に長い時間、充電を行うことを回避できる。このため、電子時計１を早期に使用できる。
また、電子時計１が、光が照射される環境にあれば、目標充電量の充電は、通常、１日程度で行われるため、経過時間を考慮する必要がなく、例えば、経過時間を計測し、計測した経過時間に応じてカウンターをカウントダウンするための回路が必要ない。このため、電子時計１の回路規模を小さくできる。これにより、電子時計１を小型化でき、電子時計１の消費電力を低減できる。
また、発電電流を検出するのは、充電完了表示機能が実行されてから、前記積算値が目標充電量以上となるまでの期間でよい。このため、例えば、発電電流の検出が常時行われる場合と比べて、電子時計１の消費電力を低減できる。
【００４７】
前記積算値が目標充電量以上であると判定された場合を除き、充電完了表示機能が実行されてからモード継続時間経過すると、前記積算値の算出を終了する。
このため、発電手段３５で発電が行われていない状態で、前記積算値の算出が継続され、電子時計１の充電量が低下することを抑制できる。
また、モード継続時間を適宜設定することで、充電完了表示機能の実行中に、発電手段３５で発電が行われない状態が長時間続き、前記積算値と実際の充電量との差が大きくなることを防止できる。これにより、使用者が、使用に必要な充電量が確保できていないにも関わらず、当該充電量が確保できていると誤って認識する事態を回避できる。
【００４８】
モード継続時間は、少なくとも２４時間であるため、前記積算値が目標充電量以上であると判定された場合を除き、充電完了表示機能がどの時間に実行されたとしても、積算値算出部５３２は、日中の間必ず動作することになる。
ここで、電子時計１に太陽光が数時間照射されれば、少なくとも１日時計を駆動できる充電量は確保できる。充電量と、照度に応じた充電必要時間との関係例を表２に示す。ただし、太陽電池のサイズや透過率、ステップモーターの消費電力等によって充電に必要な時間は異なる。
【００４９】
【表２】
2015158449.tif 000004
【００５０】
表２に示されるように、例えば、照度が比較的低い７００ｌｘの場合でも、時計を１日駆動できる充電量を確保するのに必要な時間は、１２０分（２時間）である。
このため、目標充電量が時計を１日駆動できる充電量に設定されている場合、太陽光が照射される場所に電子時計１が配置されていれば、積算値算出部５３２が日中の間動作することで、モード時間内に前記積算値が目標充電量以上となる可能性が高い。
これによれば、目標充電量が、設定頻度が高い１日時計を駆動できる充電量に設定されている場合に、高い確率で充電が完了したことが表示されるため、使い易さを向上できる。
【００５１】
第３副針１７により目標充電量が表示されるため、使用者は、目標充電量を確認でき、目標充電量を誤って設定することを回避できる。
また、クロノグラフ処理に用いられる第３副針１７を用いて目標充電量を表示するため、目標充電量を表示する表示手段を新たに設ける必要がなく、電子時計１を大型化せずに実現できる。
【００５２】
積算値算出部５３２は、発電手段３５の発電電流をサンプリングして前記積算値を算出するため、例えば、発電電流を連続的に検出して前記積算値を算出する場合と比べて、検出時間を短くでき、発電電流の検出にかかる消費電力を低減できる。
【００５３】
発電手段３５には、回転錘を用いた自動巻き発電やリューズを用いた手巻き発電を行う発電装置に比べて、発電電流の変動が緩やかである太陽電池が用いられているため、発電電流を検出する際、サンプリング間隔を、前記発電装置の場合と比べて長くできる。このため、発電電流の検出にかかる消費電力を低減できる。
【００５４】
モード継続時間は、目標充電量で時計が駆動できる時間と同じ時間に設定されているため、使用者は、目標充電量に基づいてモード継続時間をイメージし易く、使い易さをさらに向上できる。
【００５５】
［第２実施形態］
次に、本発明の第２実施形態を図面に基づいて説明する。
図１０は、電子時計１Ａを示す正面図である。
図１０に示すように、電子時計１Ａは、通常の時刻表示を行う基本時計用指針としての時針１１、分針１２、秒針１８を備えている。時針１１、分針１２、秒針１８は、電子時計１Ａの文字板２の中心を回転軸としている。
また、電子時計１Ａには、外部操作部材であるリューズ５と、同じく外部操作部材であるボタン８とが設けられている。ここで、ボタン８は、本発明の操作手段を構成する。
【００５６】
図１１は、電子時計１Ａの構成を示すブロック図である。
図１１に示すように、電子時計１Ａは、さらに、各指針１１，１２を駆動する時分針用ステップモーター２５、秒針１８を駆動する秒針用ステップモーター２６を備えている。
さらに、電子時計１Ａは、ステップモーター２５の駆動を制御する時分針駆動制御回路６１と、ステップモーター２６の駆動を制御する秒針駆動制御回路６２と、各駆動制御回路６１，６２を制御する制御手段５０Ａとを備えている。
ここで、秒針１８および秒針用ステップモーター２６は、本発明の充電結果表示手段を構成する。また、秒針１８は、本発明の充電量を表示する指針を構成し、秒針用ステップモーター２６は、本発明の指針を駆動する駆動手段を構成する。
さらに、電子時計１Ａは、発電手段３５、電流検出回路３６、蓄電手段３７、発振回路３８、分周回路３９、ボタン８に接続された入力回路４０を備えている。なお、これらの構成は第１実施形態と同じため、説明は省略する。
【００５７】
制御手段５０Ａは、充電完了表示処理部５３Ａを備えている。
充電完了表示処理部５３Ａは、充電完了表示モードが選択された際に動作される。充電完了表示モードの選択は、ボタン８が長押し（２秒）されることで行われる。
充電完了表示処理部５３Ａは、充電量設定部５３０Ａ、充電量表示制御部５３１Ａ、積算値算出部５３２、充電量判定部５３３、充電結果表示制御部５３４Ａを備えている。なお、積算値算出部５３２、充電量判定部５３３の構成は第１実施形態と同じため、説明は省略する。
【００５８】
充電量設定部５３０Ａは、入力回路４０から出力される検出信号を判定して、ボタン８の押込操作を判断し、ボタン８の押込操作回数に応じて、目標充電量およびモード継続時間を設定する。
充電量表示制御部５３１Ａは、充電量設定部５３０Ａで設定された目標充電量を、秒針１８により表示させる。
充電結果表示制御部５３４Ａは、充電量判定部５３３で、積算値算出部５３２が算出した積算値が、充電量設定部５３０Ａで設定された目標充電量以上であると判定された場合、充電が完了したことを、秒針１８により表示させる。
【００５９】
［充電完了表示機能］
次に、電子時計１Ａの充電完了表示機能について、図１２および図１３のフローチャートに基づいて説明する。
ボタン８が長押しされて、充電完了表示モードが選択されると、充電完了表示処理部５３Ａは、充電完了表示機能を実行する。このとき、図１４に示すように、秒針１８は移動して１２時の位置を指示する。
充電完了表示機能は、図１２に示すように、Ｓ１Ａ〜Ｓ８Ａの処理を有している。このうち、Ｓ２Ａ〜Ｓ６Ａ，Ｓ８Ａの処理は、第１実施形態におけるＳ２〜Ｓ６，Ｓ８と同じ処理のため説明を省略する。
【００６０】
目標充電量設定処理Ｓ１Ａにおいて、使用者は、ボタン８を押して、目標充電量を設定する。具体的には、ボタン８の押込操作回数に応じて、目標充電量を設定する。目標充電量とボタン８の押込操作回数との関係は、第１実施形態の表１と同様である。
目標充電量設定処理Ｓ１Ａは、図１３に示すように、Ｓ２１Ａ〜Ｓ２７Ａの処理を有している。このうち、Ｓ２２Ａ、Ｓ２４Ａ〜Ｓ２７Ａの処理は、第１実施形態におけるＳ２２、Ｓ２４〜Ｓ２７と同じ処理のため説明を省略する。
Ｓ２１Ａでは、充電量設定部５３０Ａは、入力回路４０から出力された検出信号を判定し、ボタン８が押されたかを判定する。Ｓ２１ＡでＹＥＳと判定された場合、充電量設定部５３０Ａは、処理をＳ２２Ａに進め、Ｓ２１ＡでＮＯと判定された場合、充電量設定部５３０Ａは、処理をＳ２４Ａに進める。
Ｓ２３Ａでは、充電量表示制御部５３１Ａは、図１５に示すように、秒針１８を、１周を１２分割した角度（３０度）、右回転させて移動させる。なお、図１５は、ボタン８が１回押された状態を示しており、秒針１８は、１２時位置から１時位置に移動している。なお、目標充電量と、秒針１８の指示位置との関係は、第１実施形態の表１と同様である。
また、目標充電量設定処理Ｓ１Ａが終了すると、充電量表示制御部５３１Ａは、図１６に示すように、秒針１８を２秒運針（２秒毎に２秒分運針）させる。
【００６１】
Ｓ７Ａでは、充電結果表示制御部５３４Ａは、図１７に示すように、秒針１８を１秒運針（１秒毎に１秒分運針）させる。これにより、使用者は、充電が完了したことを知ることができる。
なお、第１実施形態では、Ｓ８でＹＥＳと判定された場合、または、Ｓ３でＹＥＳと判定された場合、Ｓ９で充電失敗表示を行うが、第２実施形態では、Ｓ８ＡでＹＥＳと判定された場合、または、Ｓ３ＡでＹＥＳと判定された場合、充電失敗表示を行わない。すなわち、Ｓ８ＡでＹＥＳと判定された場合、または、Ｓ３でＹＥＳと判定された場合、充電完了表示機能は終了し、秒針１８が２秒運針する状態が継続される。
【００６２】
［第２実施形態の作用効果］
第２実施形態では、第１実施形態の作用効果に加えて、以下の作用効果を得ることができる。
秒針１８を２秒運針から１秒運針に切り替えることで、充電が完了したことを表示させるため、充電が完了したことを表示させる表示手段を新たに設ける必要がない。換言すると、時刻を表示する指針しか備えていない時計であっても、充電が完了したことを表示させることができる。
【００６３】
［他の実施形態］
なお、本発明は前記各実施形態の構成に限定されず、本発明の要旨の範囲内で種々の変形実施が可能である。
例えば、前記各実施形態では、表１に示すように、目標充電量の設定単位は、時計を１日駆動できる充電量であったが、本発明はこれに限定されない。例えば、目標充電量の設定単位は、時計を半日駆動できる充電量であってもよい。
一般的に、使用者が時計を使用する期間は、半日単位、すなわち、半日、１日、１．５日、２日…等になることが多い。このため、目標充電量を、半日単位で設定できれば、半日、１日、１．５日、２日…等に設定し易い。このため、使い易さを向上できる。
なお、目標充電量が、半日に設定されている場合、モード継続時間は、少なくとも２４時間であることが好ましいが、２４時間未満、例えば、１２時間であってもよい。
【００６４】
前記各実施形態では、電子時計１，１Ａは、発電手段３５を備えているが、発電手段３５を備えていなくてもよい。この場合、クレードル等の外部装置から時計に電気エネルギーを供給することで、時計を充電できる。このような方法として、例えば、非接触充電技術を適用できる。すなわち、外部装置で発生された電気エネルギーは、電磁誘導等を利用して、時計の蓄電手段３７に供給される。
【００６５】
前記各実施形態では、発電手段３５は太陽電池であるが、本発明はこれに限定されない。例えば、発電手段３５は、回転錘を用いた自動巻き発電や、リューズ５を用いた手巻き発電を行う発電装置であってもよい。
なお、発電手段３５の種類に応じて、積算値算出部５３２による発電手段３５の発電電流のサンプリング間隔を変えてもよい。例えば、発電手段３５が自動巻き発電や手巻き発電を行う発電装置である場合は、発電電流の変動が太陽電池の場合と比べて急峻であるため、サンプリング間隔を、太陽電池の場合と比べて短く設定する。これによれば、発電電流の積算値を精度よく算出できる。
【００６６】
前記各実施形態では、積算値算出部５３２は、発電手段３５の発電電流の積算値を、発電手段３５の発電電流を検出して算出しているが、本発明はこれに限定されない。例えば、発電手段３５の発電電圧に基づいて、前記積算値を算出してもよい。
また、前記各実施形態では、積算値算出部５３２は、発電手段３５の発電電流の積算値を、発電手段３５の発電電流をサンプリングして算出しているが、本発明はこれに限定されない。すなわち、発電手段３５の発電電流を連続的に検出して前記積算値を算出してもよい。
【００６７】
前記各実施形態では、充電結果表示制御部５３４，５３４Ａは、各指針１４，１８により充電結果を表示させているが、本発明はこれに限定されない。すなわち、他の指針を用いて表示させてもよいし、例えば、液晶表示装置等を用いて表示させてもよい。
また、前記各実施形態では、充電量表示制御部５３１，５３１Ａは、各指針１７，１８により目標充電量を表示させているが、本発明はこれに限定されない。すなわち、他の指針を用いて表示させてもよいし、例えば、液晶表示装置等を用いて表示させてもよい。
【００６８】
前記各実施形態では、モード継続時間は、少なくとも２４時間に設定されているが、本発明はこれに限定されない。例えば、目標充電量が時計を１日駆動できる充電量である場合のモード継続時間は、１２時間であってもよい。
【００６９】
前記各実施形態では、制御手段５０，５０Ａは、ＢＬＤ表示を行うＢＬＤ表示処理部を備えていてもよい。ＢＬＤ表示とは、電池電圧低下表示（Battery Low Display）や、電池寿命切れ予告表示（battery life indicator）などと呼ばれる警告表示用の運針を行うことであり、例えば、秒針を２秒運針させて、通常の運針と異なる警告動作をさせる。これにより、使用者に対して電池電圧が低下していることを告知する。
この場合、充電完了表示モードが選択されている際に、電池電圧が低下すると、ＢＬＤ表示が優先的に実行され、充電完了表示機能は終了する。
なお、前記第２実施形態では、充電完了表示モードにおいて、秒針１８は２秒運針しているため、ＢＬＤ表示と区別しにくい場合がある。このため、充電完了表示モードにおいて、秒針１８を、例えば、５秒運針（５秒毎に５秒分運針）させてもよい。
【００７０】
前記各実施形態では、目標充電量の設定は、第１ボタン６、ボタン８を押すことで設定されているが、本発明はこれに限定されない。例えば、リューズ５の操作で指針を移動させることで設定してもよい。
【００７１】
前記第２実施形態では、Ｓ８ＡでＹＥＳと判定された場合、充電量判定部５３３は、充電完了表示機能を終了しているが、例えば、充電結果表示制御部５３４Ａが、秒針１８を停止させたり、秒針１８を５秒運針させてもよい。これにより、使用者は、目標充電量の充電に失敗したことを確認できる。
【００７２】
前記第２実施形態では、時針１１および分針１２と秒針１８とが個別のステップモーター２５，２６により駆動されていたが、共通の１つのステップモーターにより駆動されていてもよい。
この場合、ボタン８が押されて充電完了表示モードが選択されると、秒針１８が一時的に早送りされて停止する。これにより、使用者は、充電完了表示モードに移行したことを確認できる。このとき、秒針１８は、１２時の位置には戻らない。
そして、目標充電量の設定が完了すると、秒針１８を現時刻まで早送りで移動させた後、２秒運針させる。これにより、使用者は、充電完了表示モードにあることを確認できる。
これによれば、通常の３針の電子時計においても、本発明を実現できる。
【符号の説明】
【００７３】
１，１Ａ…電子時計、１１…時針、１２…分針、１３…小秒針、１４…モード表示針、１７…第３副針、１８…秒針、２…文字板、２１…基本時計用ステップモーター、２２…モード表示用ステップモーター、２４…第２ステップモーター、２５…時分針用ステップモーター、２６…秒針用ステップモーター、３１…基本時計駆動制御回路、３２…モード表示駆動制御回路、３４…第２モーター駆動制御回路、３５…発電手段、３６…電流検出回路、３７…蓄電手段、４０…入力回路、５０，５０Ａ…制御手段、５３，５３Ａ…充電完了表示処理部、５３０，５３０Ａ…充電量設定部、５３１，５３１Ａ…充電量表示制御部、５３２…積算値算出部、５３３…充電量判定部、５３４，５３４Ａ…充電結果表示制御部、６…第１ボタン、６１…時分針駆動制御回路、６２…秒針駆動制御回路、７…第２ボタン、８…ボタン。
【図１】
2015158449.tif 000005
【図２】
2015158449.tif 000006
【図３】
2015158449.tif 000007
【図４】
2015158449.tif 000008
【図５】
2015158449.tif 000009
【図６】
2015158449.tif 000010
【図７】
2015158449.tif 000011
【図８】
2015158449.tif 000012
【図９】
2015158449.tif 000013
【図１０】
2015158449.tif 000014
【図１１】
2015158449.tif 000015
【図１２】
2015158449.tif 000016
【図１３】
2015158449.tif 000017
【図１４】
2015158449.tif 000018
【図１５】
2015158449.tif 000019
【図１６】
2015158449.tif 000020
【図１７】
2015158449.tif 000021